(57)【要約】【課題】電気的クロストークを低減する光伝送アセンブリを提供する。【解決手段】発光素子４と受光素子５とが同じ基板６に実装され、基板６が発光素子４と受光素子５の実装箇所間に可撓性部分６ａを有し、可撓性部分６ａが曲げられて、受光素子５が波長フィルタ３の入射光透過側に臨み、発光素子４が入射光に交わる方向から波長フィルタ３に臨んでいる。【選択図】図１
2009134157.tif 000002
【特許請求の範囲】
【請求項１】
波長λ２の光信号を出射する発光素子と、上記波長λ２とは異なる波長λ１の光信号を受光する受光素子と、上記波長λ２の出射光と上記波長λ１の入射光とを伝送する光ガイドと、上記波長λ２の出射光と上記波長λ１の入射光とを分離する波長フィルタとを備え、上記光ガイドに対して所定の傾斜角で波長フィルタを臨ませることにより、上記光ガイドからの入射光が上記波長フィルタを透過して直進し、この入射光に交わる方向から上記波長フィルタに入る上記発光素子からの出射光が上記光ガイドへ反射される光伝送アセンブリにおいて、
上記発光素子と上記受光素子とが同じ基板に実装され、該基板が上記発光素子と上記受光素子の実装箇所間に可撓性部分を有し、該可撓性部分が曲げられて、上記受光素子が上記波長フィルタの入射光透過側に臨み、上記発光素子が入射光に交わる方向から上記波長フィルタに臨んでいることを特徴とする光伝送アセンブリ。
【請求項２】
上記波長フィルタが両波長λ１，λ２に対して透明な光学ブロック内に収容され、該光学ブロックには、上記受光素子に臨む面に入射用レンズ、上記発光素子に臨む面に出射用レンズ、上記光ガイドに臨む面に入出射用レンズが形成されていることを特徴とする請求項１記載の光伝送アセンブリ。
【請求項３】
上記基板の上記受光素子が実装されている部分の反対面に、電気コネクタが実装されていることを特徴とする請求項２記載の光伝送アセンブリ。
【請求項４】
波長λ２の光信号を出射する発光素子と、上記波長λ２とは異なる波長λ１の光信号を受光する受光素子と、上記波長λ２の出射光と上記波長λ１の入射光とを伝送する光ガイドと、上記波長λ２の出射光と上記波長λ１の入射光とを分離する波長フィルタとを備え、上記光ガイドに対して所定の傾斜角で波長フィルタを臨ませることにより、上記光ガイドからの入射光が上記波長フィルタでこの入射光に交わる方向に反射され、上記入射光の延長方向から上記波長フィルタに入る上記発光素子からの出射光が上記波長フィルタを透過し直進して上記光ガイドへ入射される光伝送アセンブリにおいて、
上記発光素子と上記受光素子とが同じ基板に実装され、該基板が上記発光素子と上記受光素子の実装箇所間に可撓性部分を有し、該可撓性部分が曲げられて、上記発光素子が上記波長フィルタの入射光延長側に臨み、上記受光素子が入射光に交わる方向から上記波長フィルタに臨んでいることを特徴とする光伝送アセンブリ。
【請求項５】
上記基板は、上記発光素子の実装箇所から上記受光素子の実装箇所まで可撓性部分であって、上記発光素子の実装箇所から上記受光素子の実装箇所までの間で曲げられたことを特徴とする請求項１記載の光伝送アセンブリ。
【請求項６】
波長λ２の光信号を受光する受光素子と、上記波長λ２とは異なる波長λ１の光信号を受光する受光素子と、上記波長λ２の入射光と上記波長λ１の入射光とを伝送する光ガイドと、上記波長λ２の入射光と上記波長λ１の入射光とを分離する波長フィルタとを備え、上記光ガイドに対して所定の傾斜角で波長フィルタを臨ませることにより、上記光ガイドからの一方の入射光が上記波長フィルタでこの入射光に交わる方向に反射され、他方の入射光が上記波長フィルタを透過し直進する光伝送アセンブリにおいて、
上記２つの受光素子が同じ基板に実装され、該基板が上記２つの受光素子の実装箇所間に可撓性部分を有し、該可撓性部分が曲げられて、一方の受光素子が上記波長フィルタの入射光透過側に臨み、他方の受光素子が入射光に交わる方向から上記波長フィルタに臨んでいることを特徴とする光伝送アセンブリ。
【請求項７】
波長λ２の光信号を出射する発光素子と、上記波長λ２とは異なる波長λ１の光信号を出射する発光素子と、上記波長λ２の出射光と上記波長λ１の出射光とを伝送する光ガイドと、上記波長λ２の出射光と上記波長λ１の出射光とを分離する波長フィルタとを備え、上記光ガイドに対して所定の傾斜角で波長フィルタを臨ませることにより、一方の出射光が上記波長フィルタを透過し直進して上記光ガイドへ入射され、この出射光に交わる方向から上記波長フィルタに入る他方の出射光が上記光ガイドへ反射される光伝送アセンブリにおいて、
上記２つの発光素子が同じ基板に実装され、該基板が上記２つの発光素子の実装箇所間に可撓性部分を有し、該可撓性部分が曲げられて、一方の発光素子が上記波長フィルタの上記光ガイドと反対側に臨み、他方の発光素子が上記光ガイドへの出射光に交わる方向から上記波長フィルタに臨んでいることを特徴とする光伝送アセンブリ。
【請求項８】
光信号を受光する受光素子と、上記光信号とは偏光角が異なる光信号を受光する受光素子と、上記２つの光信号の入射光を伝送する光ガイドと、上記２つの光信号の入射光を偏光角に応じて分離する偏光分離素子とを備え、上記光ガイドに対して所定の傾斜角で偏光分離素子の偏光分離面を臨ませることにより、上記光ガイドからの一方の偏光角を有する光信号の入射光が上記偏光分離素子でこの入射光に交わる方向に反射され、他方の偏光角を有する光信号の入射光が上記偏光分離素子を透過し直進する光伝送アセンブリにおいて、
上記２つの受光素子が同じ基板に実装され、該基板が上記２つの受光素子の実装箇所間に可撓性部分を有し、該可撓性部分が曲げられて、一方の受光素子が上記偏光分離素子の入射光透過側に臨み、他方の受光素子が入射光に交わる方向から上記偏光分離素子に臨んでいることを特徴とする光伝送アセンブリ。
【発明の詳細な説明】
【技術分野】
【０００１】
本発明は、電気的クロストークを低減する光伝送アセンブリに関する。
【背景技術】
【０００２】
光トランシーバは、形状・寸法が規定された所定のハウジングに発光素子と受光素子を内蔵すると共に、バイアス、プリアンプ、ドライバ等の周辺回路を備え、上位機器からの電気通信信号を光通信信号に変えて出射し、外部からの光通信信号を電気通信信号に変えて上位機器に取り込むものである。外部との間で光通信信号を導く光ガイドは光導波路、光ファイバなどである。
【０００３】
光トランシーバには、出射光と入射光の光ガイドを共通化するために、出射光と入射光の波長を異ならせ内部に置いた波長フィルタで分波するものがある。例えば、図６に示されるように、特許文献１に記載された光伝送アセンブリ６１は、光ガイド６２と平行に置かれた基板６６に発光素子アレイ６４と受光素子アレイ６５が実装され、発光素子アレイ６４の出射方向と受光素子アレイ６５の入射方向は共に基板６６の実装面に垂直である。この基板６６を光トランシーバのハウジング（図示せず）に組み込み、発光素子アレイ６４の上部に反射波長λ２の波長フィルタ６３ａを配置し、受光素子アレイ６５の上部に反射波長λ１の波長フィルタ６３ｂを配置する。
【０００４】
この光伝送アセンブリ６１において、発光素子アレイ６４からの波長λ２の出射光は波長フィルタ６３ａで反射し光ガイド６２へ出射する。光ガイド６２からの波長λ１の入射光は、波長フィルタ６３ａは透過して波長フィルタ６３ｂで反射し、受光素子アレイ６５に入射する。
【０００５】
このように、従来は、波長の異なる出射光と入射光を共通の光ガイド６２で導く場合、発光素子と受光素子を光ガイド６２と平行な基板６６に光ガイド６２の延長方向に距離を違えて配置し、それぞれの波長を反射波長とする波長フィルタ６３ａ，６３ｂを出射光軸、入射光軸が光ガイド６２の延長軸に交わる位置に配置している。
【０００６】
【特許文献１】特表２００２−５３４７０９号公報
【発明の開示】
【発明が解決しようとする課題】
【０００７】
発光素子は、出射光の大きな光エネルギを得るために大きな電力を消費し、ドライバから発光素子に大電流が流れる。一方、受光素子は、入射光から微弱な電流を発生させ、プリアンプにおいてこの電流を増幅する。したがって、従来のように、発光素子と受光素子が接近して配置されるのは、発光素子の駆動電流による輻射が受光素子の受光電流に影響を与えることになるので、望ましくない。
【０００８】
しかし、図６の光伝送アセンブリにおいて、発光素子と受光素子の距離を従来より長く取ろうとすると、いくつかの問題が生じる。
【０００９】
受光素子と発光素子の距離を拡げることで輻射の影響を減少させることはできるが、このためには基板の長さを延す必要がある。これに対して、ハウジングの長さは規格に定められており、ハウジングを長くすることはできない。したがって、基板の長さを延ばして発光素子と受光素子の距離を拡げるという改善策は、光伝送アセンブリをハウジングに組み込むことを困難にする。
【００１０】
また、光ガイドと波長フィルタの間、発光素子、受光素子と波長フィルタの間にそれぞれレンズがあることにより、波長フィルタ同士の間では光はコリメートされている。しかし、レンズでコリメートをしても拡散の角度が全くゼロとはならないので、光路長が長くなると拡散幅が大きくなる。よって、受光素子と発光素子の距離を拡げると、波長フィルタ同士間の光路長が長くなってそれだけ拡散幅が大きくなる。これを防ぐために途中にレンズを追加するようでは、部品の増加と構造の複雑さを招き、好ましくない。
【００１１】
このように、従来の光伝送アセンブリは、発光素子の駆動電流による輻射が受光素子の受光電流に影響を与えること（電気的クロストーク）を改善したくとも、好適な改善策が見出されないのが現状である。
【００１２】
そこで、本発明の目的は、上記課題を解決し、電気的クロストークを低減する光伝送アセンブリを提供することにある。
【課題を解決するための手段】
【００１３】
上記目的を達成するために本発明は、波長λ２の光信号を出射する発光素子と、上記波長λ２とは異なる波長λ１の光信号を受光する受光素子と、上記波長λ２の出射光と上記波長λ１の入射光とを伝送する光ガイドと、上記波長λ２の出射光と上記波長λ１の入射光とを分離する波長フィルタとを備え、上記光ガイドに対して所定の傾斜角で波長フィルタを臨ませることにより、上記光ガイドからの入射光が上記波長フィルタを透過して直進し、この入射光に交わる方向から上記波長フィルタに入る上記発光素子からの出射光が上記光ガイドへ反射される光伝送アセンブリにおいて、上記発光素子と上記受光素子とが同じ基板に実装され、該基板が上記発光素子と上記受光素子の実装箇所間に可撓性部分を有し、該可撓性部分が曲げられて、上記受光素子が上記波長フィルタの入射光透過側に臨み、上記発光素子が入射光に交わる方向から上記波長フィルタに臨んでいるものである。
【００１４】
上記波長フィルタが両波長λ１，λ２に対して透明な光学ブロック内に収容され、該光学ブロックには、上記受光素子に臨む面に入射用レンズ、上記発光素子に臨む面に出射用レンズ、上記光ガイドに臨む面に入出射用レンズが形成されていてもよい。
【００１５】
上記基板の上記受光素子が実装されている部分の反対面に、電気コネクタが実装されていてもよい。
【００１６】
また、本発明は、波長λ２の光信号を出射する発光素子と、上記波長λ２とは異なる波長λ１の光信号を受光する受光素子と、上記波長λ２の出射光と上記波長λ１の入射光とを伝送する光ガイドと、上記波長λ２の出射光と上記波長λ１の入射光とを分離する波長フィルタとを備え、上記光ガイドに対して所定の傾斜角で波長フィルタを臨ませることにより、上記光ガイドからの入射光が上記波長フィルタでこの入射光に交わる方向に反射され、上記入射光の延長方向から上記波長フィルタに入る上記発光素子からの出射光が上記波長フィルタを透過し直進して上記光ガイドへ入射される光伝送アセンブリにおいて、上記発光素子と上記受光素子とが同じ基板に実装され、該基板が上記発光素子と上記受光素子の実装箇所間に可撓性部分を有し、該可撓性部分が曲げられて、上記発光素子が上記波長フィルタの入射光延長側に臨み、上記受光素子が入射光に交わる方向から上記波長フィルタに臨んでいるものである。
【００１７】
上記基板は、上記発光素子の実装箇所から上記受光素子の実装箇所まで可撓性部分であって、上記発光素子の実装箇所から上記受光素子の実装箇所までの間で曲げられてもよい。
【００１８】
また、本発明は、波長λ２の光信号を受光する受光素子と、上記波長λ２とは異なる波長λ１の光信号を受光する受光素子と、上記波長λ２の入射光と上記波長λ１の入射光とを伝送する光ガイドと、上記波長λ２の入射光と上記波長λ１の入射光とを分離する波長フィルタとを備え、上記光ガイドに対して所定の傾斜角で波長フィルタを臨ませることにより、上記光ガイドからの一方の入射光が上記波長フィルタでこの入射光に交わる方向に反射され、他方の入射光が上記波長フィルタを透過し直進する光伝送アセンブリにおいて、上記２つの受光素子が同じ基板に実装され、該基板が上記２つの受光素子の実装箇所間に可撓性部分を有し、該可撓性部分が曲げられて、一方の受光素子が上記波長フィルタの入射光透過側に臨み、他方の受光素子が入射光に交わる方向から上記波長フィルタに臨んでいるものである。
【００１９】
また、本発明は、波長λ２の光信号を出射する発光素子と、上記波長λ２とは異なる波長λ１の光信号を出射する発光素子と、上記波長λ２の出射光と上記波長λ１の出射光とを伝送する光ガイドと、上記波長λ２の出射光と上記波長λ１の出射光とを分離する波長フィルタとを備え、上記光ガイドに対して所定の傾斜角で波長フィルタを臨ませることにより、一方の出射光が上記波長フィルタを透過し直進して上記光ガイドへ入射され、この出射光に交わる方向から上記波長フィルタに入る他方の出射光が上記光ガイドへ反射される光伝送アセンブリにおいて、上記２つの発光素子が同じ基板に実装され、該基板が上記２つの発光素子の実装箇所間に可撓性部分を有し、該可撓性部分が曲げられて、一方の発光素子が上記波長フィルタの上記光ガイドと反対側に臨み、他方の発光素子が上記光ガイドへの出射光に交わる方向から上記波長フィルタに臨んでいるものである。
【００２０】
また、本発明は、光信号を受光する受光素子と、上記光信号とは偏光角が異なる光信号を受光する受光素子と、上記２つの光信号の入射光を伝送する光ガイドと、上記２つの光信号の入射光を偏光角に応じて分離する偏光分離素子とを備え、上記光ガイドに対して所定の傾斜角で偏光分離素子の偏光分離面を臨ませることにより、上記光ガイドからの一方の偏光角を有する光信号の入射光が上記偏光分離素子でこの入射光に交わる方向に反射され、他方の偏光角を有する光信号の入射光が上記偏光分離素子を透過し直進する光伝送アセンブリにおいて、上記２つの受光素子が同じ基板に実装され、該基板が上記２つの受光素子の実装箇所間に可撓性部分を有し、該可撓性部分が曲げられて、一方の受光素子が上記偏光分離素子の入射光透過側に臨み、他方の受光素子が入射光に交わる方向から上記偏光分離素子に臨んでいるものである。
【発明の効果】
【００２１】
本発明は次の如き優れた効果を発揮する。
【００２２】
（１）電気的クロストークを低減することができる。
【発明を実施するための最良の形態】
【００２３】
以下、本発明の一実施形態を添付図面に基づいて詳述する。
【００２４】
図１に示されるように、本発明に係る光伝送アセンブリ１は、波長λ２の出射光と波長λ１の入射光とを互いに反対方向に導く光ガイド２に対して所定の傾斜角で波長フィルタ３を臨ませることにより、光ガイド２からの入射光が波長フィルタ３を透過して直進し、この入射光に交わる方向から上記波長フィルタ３に入る出射光が光ガイド２へ反射される。
【００２５】
本発明の光伝送アセンブリ１は、出射光を発光する発光素子４と入射光を受光する受光素子５とが同じ基板６に実装され、基板６が発光素子４と受光素子５の実装箇所間に可撓性部分６ａを有し、可撓性部分６ａが曲げられて、受光素子５が波長フィルタ３の入射光透過側に臨み、発光素子４が入射光に交わる方向から波長フィルタ３に臨んでいるものである。
【００２６】
ここで、光ガイド２は、光導波路又は光ファイバである。
【００２７】
波長フィルタ３は、光ガイド２から入る波長λ１の入射光を透過し、発光素子４から入る波長λ２の出射光を光ガイド２へ反射するものである。
【００２８】
発光素子４は、波長λ２の出射光を発光するもので、例えば、ＬＤ（レーザダイオード）である。発光素子４の近傍には、ドライバ等の周辺回路７が実装されている。発光素子４は、１個でもよく、複数個でもよい。複数個の発光素子４は、紙面に直交する方向に並べてアレイ状に配置するとよい。
【００２９】
受光素子５は、波長λ１の入射光を受光するもので、例えば、ＰＤ（フォトダイオード）である。受光素子５の近傍には、バイアス、プリアンプ等の周辺回路８が実装されている。受光素子５は、１個でもよく、複数個でもよい。複数個の受光素子５は、紙面に直交する方向に並べてアレイ状に配置するとよい。
【００３０】
基板６は、可撓性部分６ａがフレキ基板で構成され、発光素子実装部分６ｂがリジッド基板で構成され、受光素子実装部分６ｃがリジッド基板で構成されるものである。なお、両リジッド基板を多層基板とし、そのうち一層をフレキ基板とし、そのフレキ基板が発光素子実装部分６ｂ、可撓性部分６ａ、受光素子実装部分６ｃで一体に繋がるようにしてもよい。
【００３１】
リジッド基板は、ガラスエポキシなどの硬い材質からなり、フレキ基板は、組み込みや繰り返し屈曲のため曲がる材料としてポリイミド材などを使用したプリント基板である。そして、フレキ基板とリジッド基板は、スルーホールにより電気的導通を取られている。
【００３２】
光ガイド２と波長フィルタ３は、基板６の発光素子実装部分６ｂに対して平行に配置されており、その光ガイド２の光軸の延長上に受光素子５が位置している。可撓性部分６ａを構成するフレキ基板は、発光素子実装部分６ｂに対して受光素子実装部分６ｃが直角であるように曲げられている。なお、波長フィルタ３と受光素子５の間、波長フィルタ３と発光素子４の間、波長フィルタ３と光ガイド２の間には、図示しないがそれぞれコリメート用のレンズを配置することにより、光伝送損失を低減することが好ましい。
【００３３】
発光素子実装部分６ｂと受光素子実装部分６ｃは、図示しないハウジングに収納、固定されることによって図１に示した位置関係を保つ。
【００３４】
図２に示されるように、基板６がまっすぐな状態で基板６に周辺回路８、受光素子５、発光素子４、周辺回路７が実装される。このとき、受光素子５は、可撓性部分６ａによって従来（図６）よりも発光素子４から離れている。
【００３５】
このように部品が実装されたまっすぐな基板６が波長フィルタ３と位置合わせされて図示しないハウジングに固定される。位置合わせは、発光素子実装部分６ｂの発光素子４からの出射光が波長フィルタ３で反射されて光ガイド２の光軸に最も適切に入射するように行われる。その後、可撓性部分６ａが曲げられて、受光素子実装部分６ｃが発光素子実装部分６ｂに対して直角になるよう起立され、図１の状態となる。
【００３６】
図１の光伝送アセンブリ１における動作を説明する。
【００３７】
まず、光ガイド２からの波長λ１の入射光が波長フィルタ３に入ると、この入射光は波長フィルタ３を透過して直進し、受光素子５に入射する。
【００３８】
ここで、波長フィルタ３は、光ガイド２の光軸に対して４５度傾斜して配置されている。
【００３９】
一方、発光素子４により出射された波長λ２の出射光は、波長フィルタ３で９０度反射され、光ガイド２に入射される。このように、光伝送アセンブリ１では、出射光と入射光の光ガイドを共通化した光伝送が可能となる。
【００４０】
図１の光伝送アセンブリ１の効果を説明する。
【００４１】
本発明の光伝送アセンブリ１では、可撓性部分６ａが曲げられて、受光素子５が波長フィルタ３の入射光透過側に臨み、発光素子４が入射光に交わる方向から波長フィルタ３に臨んでいる。このように、受光素子５と発光素子４が同じ平面上に並んでいないため、受光素子５と発光素子４の距離が従来より拡がり、発光素子の駆動電流による輻射が受光素子の受光電流に影響を与える電気的クロストークが小さくなる。
【００４２】
しかも、基板６の受光素子実装部分６ｃは、可撓性部分６ａが曲げられたことにより、波長フィルタ３の近傍に位置する。よって、レンズでコリメートされた光の光路長が長くならず、途中にレンズを追加する必要がない。
【００４３】
ここで、光伝送アセンブリの実装精度を検討すると、光ガイド２がマルチモード光ファイバである場合、そのコアの直径は５０μｍ程度であるため、発光素子４の実装精度は数μｍであってもよい。しかし、光ガイド２がシングルモード光ファイバである場合、そのコアの直径は１０μｍ程度であるため、発光素子４の実装精度は１μｍ未満の精度が要求される。これに対し、受光素子５は、その受光面が直径５０μｍ程度であるため、光ガイド２の光軸に対する実装精度は数μｍであってもよい。
【００４４】
そこで、本発明の光伝送アセンブリ１では、可撓性部分６ａの先に位置合わせ精度が発光素子４に比べて大まかでよい受光素子５を配置してある。このため、発光素子４の位置合わせをした後は可撓性部分６ａを曲げて、受光素子実装部分６ｃを起こすだけで、簡単に受光素子５を十分な受光ができる位置に持ってくることができる。
【００４５】
次に、本実施形態の変形例を説明する。
【００４６】
図３に示されるように、本発明に係る光伝送アセンブリ３１は、光伝送アセンブリ１と同様に、出射光を発光する発光素子４と入射光を受光する受光素子５とが同じ基板３６に実装され、基板３６が発光素子４と受光素子５の実装箇所間に可撓性部分３６ａを有し、可撓性部分３６ａが曲げられて、受光素子５が波長フィルタ３の入射光透過側に臨み、発光素子４が入射光に交わる方向から波長フィルタ３に臨んでいるものである。
【００４７】
光伝送アセンブリ１との相違点は、基板３６は、可撓性部分３６ａだけでなく、発光素子実装部分６ｂと受光素子実装部分６ｃもフレキ基板のみで構成され、リジッド基板が用いられないことである。図示のように曲げられているのは可撓性部分３６ａのみであり、発光素子実装部分６ｂと受光素子実装部分６ｃは曲げられていない。よって、波長フィルタ３、発光素子４、受光素子５の位置関係は光伝送アセンブリ１と同じである。
【００４８】
全体がフレキ基板からなる基板３６は、その一部に金属板等からなる固定用部材３７ｂ，３７ｃを取り付け、その固定用部材をハウジングにＹＡＧレーザ溶接又はネジ止めすることにより、ハウジングに固定するとよい。
【００４９】
変形例である光伝送アセンブリ３１においても、光伝送アセンブリ１と同様に発光素子４の駆動電流による輻射が受光素子５の受光電流に与える影響を小さくできるという効果がある。
【００５０】
これに加え、光伝送アセンブリ３１は、リジッド基板を使用せずにフレキ基板のみで基板３６を構成するので、光伝送アセンブリ３１を安価に製造できるという利点がある。
【００５１】
図１の光伝送アセンブリ１（図３の光伝送アセンブリ３１も同様）は、発光素子４と受光素子５を基板６に実装し、基板６の可撓性部分６ａを曲げてそれより先にある受光素子実装部分６ｃを起こすことで、受光素子５と発光素子４を波長フィルタ３の異なる面に臨ませたが、光ガイド２がマルチモード光ファイバである場合、上記した光伝送アセンブリの実装精度の検討を踏まえ、コア直径は５０μｍ程度であることから、発光素子４の実装精度は数μｍでもよくなるため、基板６の先に発光素子４を実装し、受光素子５を光ガイド２からの入射光に交わる方向から波長フィルタ３に臨ませてもよい。可撓性部分６ａを曲げると、発光素子４が波長フィルタ３の入射光透過側に臨むことになるので、波長フィルタ３には、波長λ２の出射光を透過し、波長λ１の入射光を反射するものを使用する。
【００５２】
また、受光素子５と発光素子４を基板６に実装するのではなく、２箇所とも受光素子５を実装してもよい。すなわち、波長λ１の入射光を受光するための受光素子５と波長λ２の入射光を受光するための受光素子５を実装する。これにより、波長多重された入射光が光ガイド２から波長フィルタ３に入射すると、２箇所の受光素子５に波長分離された光がそれぞれ入射して受光されることになるので、波長多重光受信用の光伝送アセンブリを実現することができる。
【００５３】
ここで、波長フィルタ３に代えて、偏光ビームスプリッタなど偏光に応じて光ビームを分離する機能を有した光学部品である偏光分離素子を用いてもよい。偏光分離素子として偏光ビームスプリッタを設けることにより、偏光状態に応じて光信号を分離検出することができる。偏光ビームスプリッタの偏光分離面は光ガイド２の光軸に対して４５°傾斜させることにより２つの偏光をほぼ９０°光路が分離した状態（図１、図３、図４と同一構造）で検出できる。これは、例えば、光磁気ディスクにレーザ光を照射して光磁気ディスクで反射された信号をＳ偏光成分とＰ偏光成分（Ｓ偏光成分と直交する偏光）に分離して検出することにより光磁気ディスクに記載された信号を読み取ることに利用できる。そしてこのときは、光ガイド２としてレンズ結合系を用いる従来構造と同一となり、実装が容易となる。
【００５４】
一方、これとは逆に、２箇所とも発光素子４を実装してもよい。すなわち、波長λ１の出射光を発光する発光素子４と波長λ２の出射光を発光する発光素子４を実装する。これにより、波長フィルタ３において波長多重された出射光が光ガイド２から出射されることになるので、波長多重光送信用の光伝送アセンブリを実現することができる。
【００５５】
この波長多重光送信用の光伝送アセンブリは、一例として、レーザプリンタ用の光源モジュールとして利用できる。アレイ（複数）状のＬＤをさらに波長多重することで、より多数の光信号で印字できるため、高速印刷が容易となる。
【００５６】
次に、本発明の他の実施形態を説明する。
【００５７】
図４に示されるように、本発明に係る光伝送アセンブリ４１は、波長λ２の出射光と波長λ１の入射光とを互いに反対方向に導く光ガイド２に対して所定の傾斜角で波長フィルタ３を臨ませることにより、光ガイド２からの入射光が波長フィルタ３を透過して直進し、この入射光に交わる方向から上記波長フィルタ３に入る出射光が光ガイド２へ反射されるようにした光トランシーバの光伝送アセンブリ１において、出射光を発光する発光素子４と入射光を受光する受光素子５とが同じ基板６に実装され、基板６が発光素子４と受光素子５の実装箇所間に可撓性部分６ａを有し、可撓性部分６ａが曲げられて、受光素子５が波長フィルタ３の入射光透過側に臨み、発光素子４が入射光に交わる方向から波長フィルタ３に臨んでいるものである。
【００５８】
光伝送アセンブリ１との相違点は、波長フィルタ３が両波長λ１，λ２に対して透明な光学ブロック４３内に収容され、その光学ブロック４３に、受光素子５に臨む面に入射用レンズ４３ａ、発光素子４に臨む面に出射用レンズ４３ｂ、光ガイド２に臨む面に入出射用レンズ４３ｃが形成されていることである。
【００５９】
光学ブロック４３は、波長フィルタ３を収容するための穴（溝）が設けられており、その穴に光ガイド２の光軸に対して所定の角度傾斜した斜面が形成されている。この斜面に波長フィルタ３を置くことで光軸に対する波長フィルタ３の位置と姿勢を決めることができる。この波長フィルタ３を入れた穴を図示しない透明な充填材（屈折率整合材）で埋めるのが好ましい。これにより、波長フィルタ３を外気（空気）の水分からの影響を受けにくくすることができる。
【００６０】
この実施形態の光伝送アセンブリ４１においても、光伝送アセンブリ１と同様に発光素子４の駆動電流による輻射が受光素子５の受光電流に与える影響を小さくできるという効果がある。
【００６１】
これに加え、光学ブロック４３において各レンズが一体成形されるので、部品点数が減少すると共に、波長フィルタ３と各レンズの位置合わせが簡素化される。光学ブロック４３自体の形状も簡素であるため、製造が容易となる。
【００６２】
さらに、この実施形態では、光学ブロック４３には、光ガイド２を嵌め合わせるための嵌合部４３ｄが形成されている。嵌合部４３ｄは、光ガイド２の外形と同じ形の穴であり、嵌合部４３ｄ内の光ガイド２の光軸に相当する位置に入出射用レンズ４３ｃが形成されている。これにより、嵌合部４３ｄに光ガイド２を嵌め合わせるだけで、位置合わせが達成される。
【００６３】
これにより、光学ブロック４３と光ガイド２の位置合わせが簡単となると共に、光学ブロック４３と光ガイド２をこれらが一体化したひとつの部品として扱うことができる。
【００６４】
図５に示されるように、本発明に係る光伝送アセンブリ５１は、前述の光伝送アセンブリ４１において、基板６の受光素子５が実装されている受光素子実装部分６ｃの反対面６ｄに、電気コネクタ９が実装されているものである。
【００６５】
また、この実施形態では、光トランシーバのハウジング１０に光伝送アセンブリ５１が収容されている。受光素子実装部分６ｃと電気コネクタ９はハウジング１０に固定されている。ここでは、ハウジング１０は、実際より簡略化して側断面輪郭が長方形としてある。このハウジング１０の一端面より内に受光素子実装部分６ｃがあり、ハウジング１０の外に電気コネクタ９が現れている。
【００６６】
電気コネクタ９は、光トランシーバと外部を繋ぐ（詳細には、光伝送アセンブリ５１の周辺回路７，８と上位機器のインタフェース回路を電気的に導通させる）ものである。電気コネクタ９は、光ガイド２とは対向する位置にあり、光ガイド２が直接又は間接的に相手の光通信機器に接続され、電気コネクタ９が上位機器に接続される。
【００６７】
このとき、電気コネクタ９が受光素子実装部分６ｃの反対面６ｄに実装されていることで、電気コネクタ９をハウジング１０の一端面の外に出すことができる。電気コネクタ９がハウジング１０の一端面の外にあるので、光トランシーバを上位機器に対して挿入／抜き取りをすることが容易となる。
【００６８】
本実施形態では、発光素子４としてレーザダイオードを用いているが、特に面実装型であるＶＣＳＥＬ−ＬＤ（vertical cavity surface emitting laser）を用いると、光結合が実装面に対して垂直方向であり、実装が容易となるので好ましい。ＶＣＳＥＬ−ＬＤを用いた場合、出射波長としては８５０ｎｍ帯である。
【００６９】
一方、端面発光型のＦＢ−ＬＤ（ファブリペローレーザ）、ＤＦＢ−ＬＤ（Distributed Feedback レーザ）などを用いてもよい。ＦＢ−ＬＤ、ＤＦＢ−ＬＤなどの端面発光型ＬＤを用いる場合には、発光素子をサブマウントに実装し、発光方向を波長フィルタ３の入射光軸と一致させる必要がある。ＦＢ−ＬＤ、ＤＦＢ−ＬＤなどを用いると、１３００ｎｍ帯、または１５５０ｎｍ帯の出射波長を用いることが可能であり、長距離光伝送に好都合である。
【００７０】
また、光ガイド２として光ファイバ、光導波路などを実施形態として説明したが、レンズ系結合であってもよい。
【図面の簡単な説明】
【００７１】
【図１】本発明の一実施形態を示す光伝送アセンブリの側断面図である。
【図２】図１の光伝送アセンブリの製造途中の側断面図である。
【図３】図１の光伝送アセンブリの変形例を示す側断面図である。
【図４】本発明の他の実施形態を示す光伝送アセンブリの側断面図である。
【図５】本発明の他の実施形態を示す光伝送アセンブリの側断面図である。
【図６】従来の光伝送アセンブリの斜視図である。
【符号の説明】
【００７２】
１，３１，４１，５１  光伝送アセンブリ
２  光ガイド
３  波長フィルタ
４  発光素子
５  受光素子
６  基板
６ａ  可撓性部分
６ｂ  発光素子実装部分
６ｃ  受光素子実装部分
７，８  周辺回路
９    電気コネクタ
１０  ハウジング
４３  光学ブロック
４３ａ  入射用レンズ
４３ｂ  出射用レンズ
４３ｃ  入出射用レンズ
【図１】
2009134157.tif 000003
【図２】
2009134157.tif 000004
【図３】
2009134157.tif 000005
【図４】
2009134157.tif 000006
【図５】
2009134157.tif 000007
【図６】
2009134157.tif 000008